(57)【要約】      （修正有）【課題】スイッチモジュールのサイズや基本構造を大幅に変更することなく、当該モジュールに発光素子を組み込み、それにより、顧客側で用意される押ボタンをその背後から十分に照明することができるスイッチモジュールを提供する。【解決手段】ベースブロック１０の上面にあって、押圧子２０を挟んで対称的な２つの位置のそれぞれには、リードタイプの砲弾型発光ダイオード３０が、そのリードピン３０ａのそれぞれを前記ベースブロックを上から下へと貫通させた状態で固定する。ベースブロック１０の底部には、プリント配線基板片４０を固定する。この基板片には、所定の端子数を有する差込式コネクタのコネクタ半体５０と、開閉接点に対応する端子片のそれぞれ及び発光ダイオードに対応するリードピン３０ａのそれぞれに対応する接続孔４０ａ，４０ｂと、前記接続孔のそれぞれと前記コネクタ半体の端子との間を適宜に繋ぐ導体パターンとが設けられる。【選択図】図１
0003174941.tif 000002
【実用新案登録請求の範囲】
【請求項１】
所定の高さ及び所定の平断面形状を有し、その内部には少なくとも接点機構が収容される合成樹脂製のベースブロック（１０）と、
前記ベースブロックの上部外周面を水平に所定量だけ突出させてなるフランジ部（１０ａ）と、
前記ベースブロックの上部外周面にあって、前記フランジ部から僅かに下方へ離隔した位置から、水平方向へと弾性的に付勢された状態に保持された１又は２以上の抜止め突部（１０ｂ）と、を有し、
前記ベースブロックの上面からは、前記接点機構を作動させるための押圧子（２０）が垂直方向上方へと弾性的に付勢された状態に保持され、かつ前記ベースブロックの底部からは、前記接点機構を構成する開閉接点の両端にそれぞれ導通する端子片（６０）が突出され、
任意の支持プレート（７０）上にあって、前記ベースブロックの平断面形状に対応する取付穴（７０ａ）に、前記ベースブロックをその下端部側から差し込むことにより、前記フランジ部と前記抜止め突部との間に、前記支持プレートが狭持固定され、前記ベースブロックの底部から突出する端子片からスイッチ出力を導出し得るようにしたスイッチモジュール（１）であって、
前記ベースブロックの上面にあって、前記押圧子を挟んで対称的な２つの位置のそれぞれには、リードタイプの砲弾型発光ダイオード（３０）が、そのリードピン（３０ａ）のそれぞれを前記ベースブロックを上から下へと貫通させた状態で位置決め固定され、
前記ベースブロックの底部には、プリント配線基板片（４０）が固定されると共に、前記プリント配線基板片には、所定の端子数を有する差込式コネクタのコネクタ半体（５０）と、前記開閉接点に対応する端子片（６０）のそれぞれ及び前記発光ダイオードに対応するリードピン（３０ａ）のそれぞれに対応する接続孔（４０ａ，４０ｂ）と、前記接続孔のそれぞれと前記コネクタ半体の端子との間を適宜に繋ぐ導体パターンとが設けられている、ことを特徴とするスイッチモジュール。
【請求項２】
前記ベースブロック（１０）の平断面形状が、矩形状であり、
前記抜止め突部（１０ｂ）は、前記押圧子（２０）を挟んで１８０度の関係に位置する２つ辺（Ｐ１，Ｐ２）に対応する側面のそれぞれに設けられ、かつその弾性は、ベースブロック側面に沿って上方へと突出する片持ち梁状突部の内側に位置するベースブロック側面に凹部（１０ｄ）を形成することによる内方への弾性撓曲作用により実現されており、
前記発光ダイオードが、前記押圧子を挟んで１８０度の関係に位置する他の２つの辺（Ｐ３，Ｐ４）に対応する位置に設けられている、ことを特徴とする請求項１に記載のスイッチモジュール（１）。
【請求項３】
前記発光ダイオード（３０）が、２本のリードピン（３０ｄ）を有する単色発光ダイオードであり、前記開閉接点の回路数は、２本の端子片（６０）を有する１回路であり、前記配線基板片上のコネクタ半体（５０）の端子数が、少なくとも４端子以上であり、さらに前記プリント配線基板片（４０）上の導体パターンが、
前記２本の端子片（６０）の内の第１及び第２の端子片を前記コネクタ半体（５０）の第１及び第２のコネクタ端子（Ａ，Ｂ）にそれぞれ導通させる導体パターン部分（４０−１，４０−２）と、
前記２個の発光ダイオード（３０）のアノード用リードピン同士又はカソード用リードピン同士を共通接続して第３のコネクタ端子（Ｃ）に導通させる導体パターン部分（４０−３）と、
前記２個の発光ダイオード（３０）のカソード用リードピン同士又はアノード用リードピン同士を共通接続して第４のコネクタ端子（Ｄ）に導通させる導体パターン部分（４０−４）とを有する、ことを特徴とする請求項１又は２に記載のスイッチモジュール（１）。
【請求項４】
前記支持プレートとして機能する底板（８０ｂ）には、前記ベースブロック（１０）の平断面形状に対応する取付穴（８０ａ）が明けられ、かつ上面開口（８０ｆ）には、所定の上下ストローク範囲（Ｓ）で出没自在に押ボタン部材（９０）が保持されたスイッチホルダ（８０）と、
前記スイッチホルダの底板に明けられた取付穴に挿入嵌合される請求項１〜３のいずれかに記載のスイッチモジュール（１）とを具備し、
前記押ボタン部材の押し下げ動作に連動して前記スイッチモジュールの押圧子（２０）が押し下げられる、ことを特徴とする照光式押ボタンスイッチ（１００）。
【請求項５】
前記スイッチホルダの外周面にはネジ部（８０ｃ）が、また上縁部にはフランジ部（８０ｄ）が形成されている、ことを特徴とする請求項４に記載の照光式押ボタンスイッチ（１００）。
【考案の詳細な説明】
【技術分野】
【０００１】
この発明は、各種構造の押ボタンスイッチに組み込まれて使用される共通部品としてのスイッチモジュールに関する。
【背景技術】
【０００２】
押ボタンスイッチの設計にあたっては、動作形式（例えば、モメンタリ式、トグル式、等々）、回路形式（１回路、１接点等々）、最大定格（ＤＣ２４Ｖ、５０ｍＡ等々）、機能的性能（作動力、ストローク、ストッパ強度、端子強度等々）、及び電気的性能（接触抵抗、絶縁抵抗、耐電圧、バウンス等々）と言った様々な一般的設計仕様を考慮せねばならない。
【０００３】
一方、それらの設計仕様を満足したとしても、実際に顧客側の装置に組み込むにあたっては、顧客側装置とのインタフェースのために、押ボタンのサイズや形状と言った顧客側の多様な個別的設計仕様に対応せねばならない。
【０００４】
そこで、上述の一般的設計仕様については満足する一方、押ボタンのサイズや形状と言った顧客側の多様な個別的設計仕様については、任意に顧客側で対応可能とした共通部品として、スイッチモジュールが知られている。
【０００５】
このようなスイッチモジュールの一例（業務用ゲーム機の押ボタンスイッチに使用される）が図５〜図７に示されている。それらの図に示されるように、このスイッチモジュール１は、所定の高さ及び所定の平断面形状（この例では平断面矩形状）を有し、その内部には少なくとも接点機構（図示せず）が収容される合成樹脂製のベースブロック１０と、このベースブロック１０の上部外周面を水平に所定量だけ突出させてなるフランジ部１０ａと、ベースブロック１０の上部外周面にあって、フランジ部１０ａから僅かに下方へ離隔した位置（つまり、支持プレートの厚み分下方へ離隔した位置）から、水平方向へと弾性的に付勢された状態に保持された１又は２以上（この例では背中合わせに２箇所）の抜止め突部１０ｂとを有する（特に、図５参照）。
【０００６】
ベースブロック１０の上面からは、接点機構を作動させるための押圧子２０が垂直上方へと弾性的に付勢された状態に保持され、かつベースブロック１０の底板１０ｄからは、接点機構を構成する開閉接点（図６（ａ）参照）の両端にそれぞれ導通する２本の端子片６０が突出されている。
【０００７】
そして、図６及び図７に示されるように、任意の支持プレート７０上にあって、ベースブロック１０の平断面形状に対応する取付穴７０ａに、ベースブロック１０をその下端部側から差し込むことにより、フランジ部１０ａと抜止め突部１０ｂとの間に、支持プレート７０が狭持固定され、ベースブロック１０の底板１０ｄから突出する端子片６０からスイッチ出力を導出し得るようになっている。また、顧客側で用意される押ボタン部材９０が模式化して示されている。
【０００８】
ところで、昨今、ユーザの中には、この種のスイッチモジュール１を使用して照光式押ボタンスイッチを製作したいとする要望がある。このようなユーザの要望に的確に応えるためには、従前のスイッチモジュール１のサイズや基本構造を大幅に変更することなく、当該モジュールに発光素子を組み込まねばならない。
【０００９】
従来より、小型の照光式押ボタンスイッチとしては、様々な構造のものが知られている（例えば、特許文献１、２、３参照）。しかしながら、このような構造の照光式押ボタンスイッチにあっては、発光素子としてチップタイプの素子が使用されているため、上述の基本構造を有するスイッチモジュールへの適用には、素子の配置や配線のために、大幅な設計変更が必要となる。
【００１０】
一方、発光素子としてリードタイプの砲弾型発光素子を使用する照光式押ボタンスイッチも知られている（特許文献４）。しかしながら、このような構造の照光式押ボタンスイッチにあっても、上述の基本構造を有するスイッチモジュールへの適用するためには、発光素子からの光を顧客側の押ボタンに導くためには、特別な開放構造を採用せねばならず、大幅な設計変更が必要となる。
【先行技術文献】
【特許文献】
【００１１】
【特許文献１】特開平１１−０７３８３７号公報
【特許文献２】特開平０５−３３４９３６号公報
【特許文献３】特開２０００−１００２７４号公報
【特許文献４】特開平１１−０７３８３８号公報（図４参照）
【考案の概要】
【考案が解決しようとする課題】
【００１２】
この考案は、上述の問題点に着目してなされてものであり、その目的とするところは、従前のスイッチモジュールのサイズや基本構造を大幅に変更することなく、当該モジュールに発光素子を組み込み、それにより、顧客側で用意される押ボタンをその背後から十分に照明することが可能なスイッチモジュール、並びに、そのようなスイッチモジュールを組み込んで構成された照光式押ボタンスイッチを提供することにある。
【００１３】
この考案の他の目的並びに作用効果については、明細書の以下の記述を参照することにより、当業者であれば容易に理解できるであろう。
【課題を解決するための手段】
【００１４】
上述の技術的課題は、以下の構成を有する新規なスイッチモジュールにより解決することができる。
【００１５】
すなわち、このスイッチモジュールは、所定の高さ及び所定の平断面形状を有し、その内部には少なくとも接点機構が収容される合成樹脂製のベースブロック（１０）と、前記ベースブロックの上部外周面を水平に所定量だけ突出させてなるフランジ部（１０ａ）と、前記ベースブロックの上部外周面にあって、前記フランジ部から僅かに下方へ離隔した位置（つまり、支持プレートの厚み分下方へ離隔した位置）から、水平方向へと弾性的に付勢された状態に保持された１又は２以上の抜止め突部（１０ｂ）と、を有する。
【００１６】
前記ベースブロックの上面からは、前記接点機構を作動させるための押圧操作子（２０）が垂直方向上方へと弾性的に付勢された状態に保持され、かつ前記ベースブロックの底部からは、前記接点機構を構成する開閉接点の両端にそれぞれ導通する端子片（６０）が突出される。
【００１７】
任意の支持プレート（７０）上にあって、前記ベースブロックの平断面形状に対応する取付穴（７０ａ）に、前記ベースブロックをその下端部側から差し込むことにより、前記フランジ部と前記抜止め突部との間に、前記支持プレートが狭持固定され、前記ベースブロックの底部から突出する端子片からスイッチ出力を導出することができる。
【００１８】
前記ベースブロックの上面にあって、前記押圧子を挟んで対称的な２つの位置のそれぞれには、リードタイプの砲弾型発光ダイオード（３０）が、そのリードピン（３０ａ）のそれぞれを前記ベースブロックを上から下へと貫通させた状態で位置決め固定される。
【００１９】
前記ベースブロックの底部には、プリント配線基板片（４０）が固定されると共に、前記プリント配線基板片には、所定の端子数を有する差込式コネクタのコネクタ半体（５０）と、前記開閉接点に対応する端子片（６０）のそれぞれ及び前記発光ダイオードに対応するリードピン（３０ａ）のそれぞれに対応する接続孔（４０ａ，４０ｂ）と、前記接続孔のそれぞれと前記コネクタ半体の端子との間を適宜に繋ぐ導体パターン（４０−１〜４）とが設けられる。
【００２０】
このような構成によれば、発光素子のレイアウトは、単に、ベースブロック（１０）の上面にあって、前記押圧操作子（２０）を挟んで対称的な２つの位置のそれぞれに、リードタイプの砲弾型発光ダイオード（３０）を、そのリードピン（３０ａ）のそれぞれを前記ベースブロック（１０）を上から下へと貫通させた状態で位置決め固定するだけであるから、精々リードピンが垂直に通過するスペースを確保する程度で、ベースブロック内部の構造それ自体は、従前のものと殆ど変更する必要はない。加えて、砲弾型発光ダイオード（３０）はむき出し状態でかつ対称的配置であるため、顧客側で用意される押ボタンをその背後から十分な明るさで均一に照らすことが出来る。
【００２１】
また、その配線は、もともと底部に存在するスイッチ出力導出用の端子片下端部（６０ａ）及び今回新設された発光素子用のリードピン下端部（３０ｃ）を、コネクタ半体（５０）の対応する端子と基板上の導体パターン（４０−１〜４）を介して適当に配線するものであるから、ベースブロックの内部には特別な設計変更を行う必要もない。しかも、スイッチ出力の導出並びに発光素子への信号供給は、すべて、差込式コネクタによるワンタッチ接続であるから、配線作業に手間取ることもない。
【００２２】
そのため、このような構成によれば、従前のスイッチモジュールのサイズや基本構造を大幅に変更することなく、当該モジュールに発光素子を組み込み、それにより、顧客側で用意される押ボタンをその背後から十分に照明することが可能となる。
【００２３】
好ましい実施の形態においては、前記ベースブロック（１０）の平断面形状が、矩形状であり、前記抜止め突部（１０ｂ）は、前記押圧子（２０）を挟んで１８０度の関係に位置する２つ辺（Ｐ１，Ｐ２）に対応する側面のそれぞれに設けられ、かつその弾性は、ベースブロック側面に沿って上方へと突出する片持ち梁状突部の内側に位置するベースブロック側面に凹部（１０ｄ）を形成することによる内方への弾性撓曲作用により実現されており、前記発光ダイオードが、前記押圧子を挟んで１８０度の関係に位置する他の２つの辺（Ｐ３，Ｐ４）に対応する位置に設けられている、ものであってもよい。
【００２４】
好ましい実施の形態においては、前記発光ダイオード（３０）が、２本のリードピン（３０ｄ）を有する単色発光ダイオードであり、前記開閉接点の回路数は、２本の端子片（６０）を有する１回路であり、前記配線基板片上のコネクタ半体（５０）の端子数が、少なくとも４端子以上であり、さらに前記プリント配線基板片（４０）上の導体パターンが、前記２本の端子片（６０）の内の第１及び第２の端子片を前記コネクタ半体（５０）の第１及び第２のコネクタ端子（Ａ，Ｂ）にそれぞれ導通させる導体パターン部分（４０−１，４０−２）と、前記２個の発光ダイオード（３０）のアノード用リードピン同士又はカソード用リードピン同士を共通接続して第３のコネクタ端子（Ｃ）に導通させる導体パターン部分（４０−３）と、前記２個の発光ダイオード（３０）のカソード用リードピン同士又はアノード用リードピン同士を共通接続して第４のコネクタ端子（Ｄ）に導通させる導体パターン部分（４０−４）とを有する、ものであってもよい。
【００２５】
別の一面から見たとき、本項案は、照光式押ボタンスイッチとして把握することもできる。
【００２６】
すなわち、この照光式押ボタンスイッチ（１００）は、前記支持プレートとして機能する底板（８０ｂ）には、前記ベースブロック（１０）の平断面形状に対応する取付穴（８０ａ）が明けられ、かつ上面開口（８０ｆ）には、所定の上下ストローク範囲（Ｓ）で出没自在に押ボタン部材（９０）が保持されたスイッチホルダ（８０）と、前記スイッチホルダの底板に明けられた取付穴に挿入嵌合される上述のいずれかに記載のスイッチモジュール（１）とを具備し、前記押ボタン部材の押し下げ動作に連動して前記スイッチモジュールの押圧子（２０）が押し下げられる、ものである。
【００２７】
照光式押ボタンスイッチの好ましい実施の形態においては、前記スイッチホルダの外周面にはネジ部（８０ｃ）が、また上縁部にはフランジ部（８０ｄ）が形成されている、ものであってもよい。
【考案の効果】
【００２８】
本考案によれば、従前のスイッチモジュールのサイズや基本構造を大幅に変更することなく、当該モジュールに発光素子を組み込み、それにより、顧客側で用意される押ボタンをその背後から均一かつ十分に照明することが可能となる。
【図面の簡単な説明】
【００２９】
【図１】本発明に係るスイッチモジュールの構成図（その１）である。
【図２】本発明に係るスイッチモジュールの構成図（その２）である。
【図３】本発明に係るスイッチモジュールが組み込まれた押ボタンスイッチの構成図である。
【図４】図３に示される押しボタンスイッチのＡ矢視図である。
【図５】従来のスイッチモジュールの一例を示す構成図である。
【図６】従来のスイッチモジュールの取り付け方法の説明図（その１）である。
【図７】従来のスイッチモジュールの取り付け方法の説明図（その２）である。
【考案を実施するための形態】
【００３０】
以下に、この考案の好適な実施の一形態を添付図面（図１〜図４）を参照しながら詳細に説明する。
【００３１】
本考案に係るスイッチモジュールの構成図が図１に示されている。同図に示されるように、スイッチモジュール１は、所定の高さ及び所定の平断面形状（この例では平断面矩形状）を有し、その内部には少なくとも接点機構（図示せず）が収容される合成樹脂製のベースブロック１０と、ベースブロック１０の上部外周面を水平に所定量だけ突出させてなるフランジ部１０ａと、ベースブロック１０の上部外周面にあって、フランジ部１０ａから僅かに下方へ離隔した位置（つまり、支持プレート７０の厚み分下方へ離隔した位置）から、水平方向へと弾性的に付勢された状態に保持された１又は２以上（この例では２箇所）の抜止め突部１０ｂ（図４参照）とを有する。
【００３２】
ベースブロック１０の上面からは、ベースブロック内部の接点機構（図示せず）を作動させるための押圧操作子２０が垂直方向上方へと弾性的に付勢された状態に保持され、かつ前記ベースブロックの底部からは、接点機構を構成する開閉接点（図２（ｂ）参照）の両端にそれぞれ導通する端子片６０が突出される。この例では、押圧操作子２０は、下側に位置する円筒部２０ａと上側に位置する突片部２０ｂからなり、円筒部２０ａはベースブロック１０の上部に延設されたガイドスリーブ１０ｃに挿入され、出没自在に案内されている。
【００３３】
そして、任意の支持プレート７０（図７参照）上にあって、ベースブロック１０の平断面形状に対応する取付穴７０ａ（図６（ａ）参照）に、ベースブロック１０をその下端部側から差し込むことにより、フランジ部１０ａと抜止め突部１０ｂとの間に、支持プレート７０が狭持固定され、ベースブロック１０の底部から突出する端子片下端部６０ａからスイッチ出力を導出可能となっている。
【００３４】
ベースブロック１０の上面にあって、押圧操作子２０を挟んで対称的な２つの位置のそれぞれには、リードタイプの砲弾型発光ダイオード３０が、そのリードピン３０ａのそれぞれがベースブロック１０を上から下へと貫通する状態で位置決め固定されている。
【００３５】
ベースブロック１０の底部には、矩形状のプリント配線基板片４０が固定されると共に、このプリント配線基板片４０には、所定の端子数（この例では４個）を有する差込式コネクタのコネクタ半体５０と、開閉接点（図２（ｂ）参照）に対応する２本の端子片６０のそれぞれに対応する２個の接続孔４０ｂと、２個の砲弾型発光ダイオード３０に対応する４本のリードピン３０ａのそれぞれに対応する４個の接続孔４０ａと、それらの接続孔４０ａ，４０ｂのそれぞれと前記コネクタ半体５０の端子列５０ａとの間を適宜に繋ぐ導体パターン４０−１〜４とが設けられる。
【００３６】
このような構成によれば、発光素子のレイアウトは、単に、ベースブロック１０の上面にあって、前記押圧操作子２０を挟んで対称的な２つの位置のそれぞれに、リードタイプの砲弾型発光ダイオード３０を、そのリードピン３０ａのそれぞれを前記ベースブロック１０を上から下へと貫通させた状態で位置決め固定するだけであるから、精々リードピンが垂直に通過するスペースを確保する程度で、ベースブロック内部の構造それ自体は、従前のものと殆ど変更する必要はない。加えて、砲弾型発光ダイオード３０の発光部３０ａはむき出し状態でかつ対称的配置であるため、顧客側で用意される透明な押ボタン（図３の押ボタン部材９０参照）をその背後から十分な明るさで均一に照らすことが出来る。
【００３７】
また、その配線は、もともと底部に存在するスイッチ出力導出用の端子片下端部６０ａ及び今回新設された発光素子用のリードピン下端部３０ｃを、コネクタ半体５０の対応する端子列５０ａと基板片４０上の導体パターン４０−１〜４を介して適当に配線するものであるから、ベースブロックの内部には特別な設計変更を行う必要もない。しかも、スイッチ出力の導出並びに発光素子への信号供給は、すべて、差込式コネクタによるワンタッチ接続であるから、配線作業に手間取ることもない。
【００３８】
そのため、このような構成によれば、従前のスイッチモジュールのサイズや基本構造を大幅に変更することなく、当該モジュールに発光素子を組み込み、それにより、顧客側で用意される押ボタン部材９０（図７参照）をその背後から十分に明るく照明することが可能となる。
【００３９】
特に、この実施の形態においては、ベースブロック１０の平断面形状が、矩形状であり、抜止め突部１０ｂは、前記押圧操作子２０を挟んで１８０度の関係に位置する２つ辺（Ｐ１，Ｐ２）に対応する側面のそれぞれに設けられ、かつその弾性は、ベースブロック側面に沿って上方へと突出する片持ち梁状突部の内側に位置するベースブロック側面に凹部１０ｄを形成することによる内方への弾性撓曲作用により実現されており、前記発光ダイオード３０が、前記押圧操作子２０を挟んで１８０度の関係に位置する他の２つの辺（Ｐ３，Ｐ４）に対応する位置に設けられている（図２（ａ）参照）。したがって、図２（ａ）に示されるように、リードピン挿入孔１０ｆは、上記の抜止め突部１０ｂを回避して配置することができ、スイッチモジュールの基本構造を改変する必要もない。
【００４０】
また、この実施の形態においては、前記発光ダイオード３０が、２本のリードピン３０ｄを有する単色発光ダイオードであり、前記開閉接点の回路数は、２本の端子片６０を有する１回路であり、前記配線基板片４０上のコネクタ半体５０の端子数が４端子であり、さらに前記プリント配線基板片４０上の導体パターンが、以下の如き構成となっている。
【００４１】
すなわち、上記の導体パターンは、図２（ｂ）に示されるように、２本の端子片６０の内の第１及び第２の端子片を前記コネクタ半体５０の第１及び第２のコネクタ端子（Ａ，Ｂ）にそれぞれ導通させる導体パターン部分４０−１，４０−２と、前記２個の発光ダイオード３０のアノード用リードピン同士又はカソード用リードピン同士を共通接続して第３のコネクタ端子（Ｃ）に導通させる導体パターン部分４０−３と、前記２個の発光ダイオード３０のカソード用リードピン同士又はアノード用リードピン同士を共通接続して第４のコネクタ端子（Ｄ）に導通させる導体パターン部分４０−４とを有する。したがって、２個の発光ダイオード３０を同時に点灯して、顧客側で用意される押ボタンをその背後から均一かつ十分に明るく照明することが可能となる。
【００４２】
別の一面から見たとき、本項案は、照光式押ボタンスイッチとして把握することもできる。
【００４３】
すなわち、この照光式押ボタンスイッチ１００は、図３及び図４に示されるように、前記支持プレート７０として機能する底板８０ｂには、前記ベースブロック１０の平断面形状に対応する取付穴８０ａが明けられ、かつ上面開口８０ｆには、所定の上下ストローク範囲（Ｓ）で出没自在に押ボタン部材９０が保持されたスイッチホルダ８０と、前記スイッチホルダ８０の底板８０ｂに明けられた取付穴８０ａに挿入嵌合されるスイッチモジュール１とを具備し、前記押ボタン部材９０の押し下げ動作に連動して前記スイッチモジュール１の押圧操作子２０が押し下げられる、ようになっている。このスイッチホルダ８０の外周面にはネジ部８０ｃが、また上縁部にはフランジ部８０ｄが形成されている。そのため、この照光式押ボタンスイッチ１００は、ユーザ側が用意する図示しない支持プレートに明けられた円形穴に挿入嵌合させたのち、図示しないナットを介して固定することができる。
【００４４】
より具体的に説明すれば、スイッチホルダ８０は、平断面が円形状であって、その上部開口８０ｆには、下面が開口された透明な円筒状の押ボタン部材９０が、ガイドスロット９０ｃに案内されつつ出没自在に嵌合されている。この押ボタン部材９０の内面側には、さらにボタン側押圧片９０ａが嵌合固定され、その中央部の下面には、下方突起部９０ｂが形成されている。この下方突起部９０ｂは、内部にスロットを有する中空体とされており、これにスイッチモジュール１の押圧操作子２０の突片２０ｂが嵌合される。そして、押ボタン部材９０が押し下げられるのに連れて、スイッチモジュール１が作動するのである。
【産業上の利用可能性】
【００４５】
本考案のスイッチモジュールによれば、従前のスイッチモジュールのサイズや基本構造を大幅に変更することなく、当該モジュールに発光素子を組み込み、それにより、顧客側で用意される押ボタンをその背後から十分に照明することができ、それにより任意のボタン形状の照光式押ボタンスイッチを容易に実現することができる。
【符号の説明】
【００４６】
１    スイッチモジュール
１０    ベースブロック
１０ａ  フランジ部
１０ｂ  抜止め突部
１０ｃ  ガイドスリーブ
１０ｄ  底板
１０ｆ  リードピン挿入孔
２０    押圧操作子
２０ａ  円筒部
２０ｂ  突片部
３０    砲弾型発光ダイオード
３０ａ  発光部
３０ｂ  発光基部
３０ｃ  リードピン下端部
３０ｄ  リードピン
４０    プリント配線基板片
４０ａ  リードピン接続孔
４０ｂ  端子片接続孔
５０    コネクタ半体
５０ａ  端子列
６０    端子片
６０ａ  端子片下端部
７０    支持プレート
７０ａ  取付穴
８０    スイッチホルダ
８０ａ  取付穴
８０ｂ  下方突起部
８０ｃ  ネジ部
８０ｄ  フランジ部
８０ｅ  ガイドスロット
８０ｆ  上部開口
８０ｆ  底板
９０    押ボタン部材
９０ａ  ボタン側押圧片
９０ｂ  下向き突起部
９０ｃ  ガイドスロット
９０ｄ  フランジ部
９０ｅ  抜止め突起
１００  照光式押ボタンスイッチ
Ｓ      ストローク
Ｐ１〜Ｐ４  辺
【図１】
0003174941.tif 000003
【図２】
0003174941.tif 000004
【図３】
0003174941.tif 000005
【図４】
0003174941.tif 000006
【図５】
0003174941.tif 000007
【図６】
0003174941.tif 000008
【図７】
0003174941.tif 000009